(57)【要約】      （修正有）【課題】いかなる状況下においても、設置個所が望まれる個所であれば、レリースワイヤを使用して操作釦が配設され、各々の操作釦による遠隔操作も何の支障なくできるレリースワイヤへ接続されるレリースワイヤ接続部を提供する。【解決手段】接続部ケース７０内には、接続部ケース７０に接続された作動側レリースワイヤ６０のアウターチューブ６３０内を挿通する作動側インナーワイヤ６１０が、端部を受盤７２０に接続し、初期位置へ戻る付勢が施されるリターンスプリング８０を付設した受盤７２０が往復摺動可能に設けられ、いずれかの１個所の操作釦２０、３０による操作で操作側インナーワイヤ４１０、５１０の端部を押出し、その押出しで前記受盤７２０が押圧されて作動側インナーワイヤ６１０を介しての遠隔操作がされる複数個所の操作釦２０、３０による遠隔操作式レリースワイヤ接続部７０である。【選択図】図１
2013024017.tif 000002
【特許請求の範囲】
【請求項１】
複数個所の操作釦による遠隔操作がされるその各操作釦の操作側レリースワイヤを纏めて作動側レリースワイヤへ接続するレリースワイヤ接続部であって、その接続部ケースに各操作側レリースワイヤのアウターチューブの端部が接続され、該アウターチューブ内を挿通する操作側インナーワイヤの端部が操作釦の操作で接続部ケース内へ押引きされるように設けられ、該接続部ケース内には、その接続部ケースに接続された作動側レリースワイヤのアウターチューブ内を挿通する作動側インナーワイヤが、その端部を受盤に接続し、初期位置へ戻る付勢が施されるリターンスプリングを付設した受盤が往復摺動可能に設けられ、いずれかの１個所の操作釦による操作で操作側インナーワイヤの端部を押出し、その押出しで前記受盤が押圧されて作動側インナーワイヤを介しての遠隔操作がされることを特徴とする複数個所の操作釦による遠隔操作式レリースワイヤ接続部。
【請求項２】
排水口に装着した栓蓋を操作釦による遠隔操作で開閉する遠隔操作式排水栓装置において、複数個所に設置した操作釦による遠隔操作がされるその各操作釦の操作側レリースワイヤを纏めて作動側レリースワイヤへ接続するレリースワイヤ接続部であって、その接続部ケースに各操作側レリースワイヤのアウターチューブの端部が接続され、該アウターチューブ内を挿通する操作側インナーワイヤの端部が操作釦の操作で接続部ケース内へ押引きされるように設けられ、該接続部ケース内には、その接続部ケースに接続された栓蓋の開閉作動をするスラストロック機構が具備された作動側レリースワイヤのアウターチューブのそのアウターチューブ内を挿通する作動側インナーワイヤが、その端部を受盤に接続し、前記スラストロック機構のリターンスプリングで初期位置に戻る付勢が施された受盤を往復摺動可能に設け、複数個所のいずれか１個所の操作釦による遠隔操作で操作側インナーワイヤの端部を押出し、その押出しで前記受盤が押圧されて作動側インナーワイヤを介して栓蓋の開閉がされることを特徴とする複数個所の操作釦による遠隔操作式レリースワイヤ接続部。
【請求項３】
レリースワイヤ接続部は、その各操作側レリースワイヤには、作動側レリースワイヤのリターンスプリングよりも弱いバネが入れられ、各操作側インナーワイヤの端部を作動側インナーワイヤ端部に接続の受盤へ当接させることを特徴とする請求項１乃至２のいずれか１項に記載の複数個所の操作釦による遠隔操作式レリースワイヤ接続部。
【発明の詳細な説明】
【技術分野】
【０００１】  本発明は、レリースワイヤによる複数個所よりの操作釦の遠隔操作を可能とするレリースワイヤ接続部に関するものである。
【背景技術】
【０００２】  二箇所よりの操作可能なソレノイドによる遠隔操作式排水栓装置は、浴槽の底面裏側にソレノイドを取付け、該ソレノイドの鉄心が作動側レリースワイヤを介して排水口に装着した栓蓋を開閉操作され、ソレノイドを作動するための浴室用コントローラが電気配線されると共に、前記ソレノイドの鉄心を作動する操作釦が操作側レリースワイヤを介して接続され、該操作釦の押操作、もしくは浴室用コントローラの操作で栓蓋の開閉をするものである。（特許文献１）
【先行技術文献】
【特許文献】
【０００３】
【特許文献１】  実開平０２−０２６６７７
【発明の概要】
【発明が解決しようとする課題】
【０００４】  浴室用コントローラと操作釦との二個所よりの操作可能なソレノイドによる遠隔操作式排水栓装置は、ソレノイドの漏電対策をしなければならないという欠点があり、ソレノイドの作動には通電し続けなければならないので消費電力が嵩み、その上、停電や故障で、ソレノイドによる栓蓋が開閉作動されない時の応急処置で操作釦を設け、該操作釦による手動操作では、構造が複雑化され、メンテナンス性に欠けている。【０００５】  そこで、本発明は、いかなる状況下においても、設置個所が望まれる個所であれば、レリースワイヤを使用して操作釦が配設され、その各々の操作釦による遠隔操作も何の支障なくでき、それには、複数個所の操作釦による遠隔操作を可能とする為に、各操作釦の操作側レリースワイヤが纏められて作動側レリースワイヤへ接続されるレリースワイヤ接続部を得ることである。
【課題を解決するための手段】
【０００６】  本発明の複数個所の操作釦による遠隔操作式レリースワイヤ接続部は、複数個所の操作釦による遠隔操作がされるその各操作釦の操作側レリースワイヤを纏めて作動側レリースワイヤへ接続するレリースワイヤ接続部であって、その接続部ケースに各操作側レリースワイヤのアウターチューブの端部が接続され、該アウターチューブ内を挿通する操作側インナーワイヤの端部が操作釦の操作で接続部ケース内へ押引きされるように設けられ、該接続部ケース内には、その接続部ケースに接続された作動側レリースワイヤのアウターチューブ内を挿通する作動側インナーワイヤがその端部を受盤に接続し、初期位置へ戻る付勢が施されるリターンスプリングを付設した受盤が往復摺動可能に設けられ、いずれかの１個所の操作釦による操作で操作側インナーワイヤの端部を押出し、その押出しで前記受盤が押圧されて作動側インナーワイヤを介しての遠隔操作がされるものである。【０００７】  本発明の複数個所の操作釦による遠隔操作式レリースワイヤ接続部は、排水口に装着した栓蓋を操作釦による遠隔操作で開閉する遠隔操作式排水栓装置において、複数個所に設置した操作釦による遠隔操作をするその各操作釦の操作側レリースワイヤが纏められて、作動側レリースワイヤへ接続するレリースワイヤ接続部であって、その接続部ケースに各操作側レリースワイヤのアウターチューブの端部が接続され、該アウターチューブ内を挿通する操作側インナーワイヤの端部が操作釦の操作で接続部ケース内に押引きされるように設けられ、該接続部ケース内には、その接続部ケースに接続された栓蓋の開閉作動をするスラストロック機構が具備された作動側レリースワイヤのアウターチューブを接続し、該アウターチューブ内を挿通する作動側インナーワイヤが、その端部を受盤に接続し、前記スラストロック機構によるリターンスプリングで初期位置に戻る付勢が施された受盤を往復摺動可能に設け、複数個所のいずれか１個所の操作釦による遠隔操作で操作側インナーワイヤの端部を押出し、その押出しで前記受盤が押圧されて作動側インナーワイヤを介して栓蓋の開閉がされるものである。【０００８】  本発明の複数個所の操作釦による遠隔操作式レリースワイヤ接続部は、その各操作側レリースワイヤには、作動側レリースワイヤのリターンスプリングよりも弱いバネが入れられ、各操作側レリースワイヤ端部に接続の受盤へ当接させるものである。
【発明の効果】
【０００９】  本発明の複数個所の操作釦による遠隔操作式レリースワイヤ接続部は、複数個所の操作釦による遠隔操作がされ、その遠隔操作のための各操作釦の操作側レリースワイヤを纏めて作動側レリースワイヤへ接続するレリースワイヤ接続部であって、構造が簡単で単純なものである。そして、このレリースワイヤ接続部によって、従来できなかった複数個所の操作釦による操作が、各操作釦による操作側レリースワイヤを纏めることによって遠隔操作できるようになった。
よって、複数個所に設置した操作釦のいずれか１個所の操作釦による操作だけで、また、複数個所のどこの操作釦の操作であっても、各操作側レリースワイヤが纏められて作動側レリースワイヤに接続したレリースワイヤ接続部によって、作動部の作動を遠隔操作できるので便利であり、都合よい。【００１０】  本発明の複数個所の操作釦による遠隔操作式レリースワイヤ接続部は、操作釦を操作の扱い易い個所に配設でき、複数個所の操作釦による遠隔操作がその各操作釦の操作側レリースワイヤを纏めて作動側レリースワイヤに接続したレリースワイヤ接続部によってされるので、好まれる個所での操作釦による栓蓋の開閉が遠隔操作できることになって便利である。そして、操作釦の設置個所が、設計上、難しい場合には、複数個所の設置が可能であるので、そのような個所を避けた設置が容易に可能とされる。【００１１】  本発明の複数個所の操作釦による遠隔操作式レリースワイヤ接続部は、その各操作側レリースワイヤに、作動側レリースワイヤのリターンスプリングよりも弱いバネが入れられ、各操作側インナーワイヤの端部を作動側インナーワイヤに接続されている受盤へ当接させ、操作側インナーワイヤの端部と受盤との間に隙間がないので、操作釦の操作の際に遊びがなく、且つ操作に狂いがなく、常に安定した操作をすることができる。
【図面の簡単な説明】
【００１２】
【図１】  ２個所の操作釦による遠隔操作が可能とされるレリースワイヤ接続部の断面構造図である。
【図２】  ２個所の操作釦より操作がされる遠隔操作式排水栓装置の概略図である。
【図３】  レリースワイヤ接続部が２個所の操作釦とも操作されていない状態の断面図である。
【図４】  レリースワイヤ接続部が２個所の一方の操作釦を操作した状態の断面図である。
【図５】  レリースワイヤ接続部が２個所の他方の操作釦を操作した状態の断面図である。
【図６】  ２個所の操作釦による遠隔操作を可能にし、各操作側レリースワイヤにバネが入れられたレリースワイヤ接続部の構造断面図である。
【発明を実施するための形態】
【実施例１】
【００１３】  本発明の複数個所の操作釦による遠隔操作式レリースワイヤ接続部は、例えば、２個所の操作釦による遠隔操作がされるレリースワイヤ接続部においては、図１に示す如く、レリースワイヤ接続部７０が、２個所の操作釦２０，３０による遠隔操作をそれぞれの各操作側レリースワイヤ４０，５０が纏められ、作動側レリースワイヤ６０へ接続されてするものであって、各操作側レリースワイヤ４０，５０のアウターチューブ４３０、５３０の端部が該レリースワイヤ接続部の接続部ケース７１０に接続され、該アウターチューブ内を挿通する各操作側インナーワイヤ４１０、５１０が操作釦２０，３０の操作で接続部ケース７１０内にその操作側インナーワイヤの端部４２０，５２０を押引きさせるように設けられ、該接続部ケース内には、その接続部ケース７１０に接続された作動側レリースワイヤ６０のアウターチューブ６３０内を挿通する作動側インナーワイヤ６１０が、その端部６２０を受盤７２０に接続し、初期位置へ戻る付勢が施されるリターンスプリング８０を接続部ケース７１０との間に付設した受盤７２０が往復摺動可能に設けられ、いずれかの１個所の操作釦２０または操作釦３０による操作で接続部ケース７１０内に操作側インナーワイヤの端部４２０、または端部５２０を押出し、その押出しによって前記受盤が押圧されて作動側インナーワイヤ６１０を介しての遠隔操作がされる。
そして、操作釦２０、または操作釦３０の操作をやめると、リターンスプリング８０の付勢で受盤７２０は元の位置に戻り、操作釦２０、または操作釦３０の次の操作がされるまで待機することになる。
【実施例２】
【００１４】  本発明の複数個所の操作釦による遠隔操作式接続部は、例えば、二個所、即ち、浴槽壁頂面及び浴室壁面に配設された操作釦による遠隔操作がされる遠隔操作式排水栓装置については、図２に示す如く、浴槽の排水口１１に栓蓋１２を開閉させる作動部１が装着され、浴槽壁頂面２１及び浴室壁面３１に前記栓蓋の開閉を遠隔操作する操作釦２、３が設置されて、レリースワイヤ接続部７が、各操作釦２，３による遠隔操作をそれぞれの浴槽壁頂面操作側レリースワイヤ４及び浴室壁面操作側レリースワイヤ５が纏められて、作動部１による栓蓋１２の開閉作動をするスラストロック機構８が具備された作動側レリースワイヤ６に接続されるものである。
そして、図３乃至図５に示す如く、各操作側レリースワイヤ４，５のアウターチューブ４３，５３の端部を前記レリースワイヤ接続部の接続部ケース７に接続し、そのアウターチューブ４３，５３内を挿通する各操作側インナーワイヤ４１，５１の端部４２，５２が各操作釦２，３の操作で接続部ケース７１内を押引きするように設けられ、該接続部ケース７１内には、その接続部ケース７１に接続された作動側レリースワイヤ６のアウターチューブ６３内を挿通する作動側インナーワイヤ６１が、その端部６２を受盤７２に接続し、作動側レリースワイヤ６に備えられた前記スラストロック機構内のリターンスプリングで元の位置へ戻る付勢が施されている受盤７２が往復摺動可能に設けられる。
浴槽壁頂面２１の操作釦２又は浴室壁面３１の操作釦３のどちらか一方を操作すると、そのそれぞれの操作側インナーワイヤの端部４２、または端部５２を押出し、前記受盤７２が押圧されて、作動側インナーワイヤ６１を介して栓蓋１２の開閉がされる。
そして、操作釦２、または操作釦３の操作によるスラストロック機構８の作動で栓蓋１２が開閉された後には、スラストロック機構８の元の位置に戻すリターンスプリングの付勢によって、受盤７２は元の初期位置に戻されることになり、次の操作釦２，３の操作の待機がされる。【００１５】  即ち、浴槽壁頂面２１の操作釦２及び浴室壁面３１の操作釦３のいずれもが操作されずに受盤７２が元の位置にあるとき、又は、いずれかの操作釦２，３で栓蓋１２の開閉の遠隔操作をした後に、スラストロック機構８内のリターンスプリングの付勢で受盤７２が元の位置に戻されているときは、図３に示す如く、レリースワイヤ接続部７内では、受盤７２が、栓蓋１２の開閉作動をするスラストロック機構のリターンスプリングの付勢で元の初期位置にあり、浴槽壁頂面操作側レリースワイヤ４の操作側インナーワイヤの端部４２と浴室壁面操作側レリースワイヤ５の操作側インナーワイヤの端部５２とのいずれもが押戻された状態になる。【００１６】  一方の浴槽壁頂面２１の操作釦２を操作したときは、レリースワイヤ接続部７の接続部ケース７１に接続金具７３で接続された浴槽壁頂面操作側レリースワイヤ４のアウターチューブ４３内を挿通する操作側インナーワイヤ４１が、図４に示す如く、操作側インナーワイヤの端部４２を押出し、受盤７２が押圧され、この押圧でレリースワイヤ接続部７に接続した作動側レリースワイヤ６のスラストロック機構８が作動され、作動側レリースワイヤ６のアウターチューブ６３内を挿通した作動側インナーワイヤ６１が操作されて栓蓋１２を開く。
そして、操作釦２の操作を解除しても、スラストロック機構８の作動によって栓蓋１２が開いた状態で維持される。さらに、操作釦２、または操作釦３を押すと、スラストロック機構８の作動及び該スラストロック機構内のリターンスプリングの戻しの付勢により、栓蓋１２は閉の位置に戻され、図３に示す如く、受盤７２も元の位置に戻される。【００１７】  他方の浴室壁面３１の操作釦３を操作したときは、レリースワイヤ接続部７とが接続金具７３で接続された浴室壁面操作側レリースワイヤ５のアウターチューブ５３内を挿通する操作側インナーワイヤ５１が、図５に示す如く、インナーワイヤ端部５２を押出し、受盤７２が押圧され、この押圧でレリースワイヤ接続部７に接続した作動側レリースワイヤ６のスラストロック機構８が作動され、作動側レリースワイヤ６のアウターチューブ６３内を挿通した作動側インナーワイヤ６１が操作されて栓蓋１２を開く。
そして、操作釦３の操作を解除しても、スラストロック機構８によって栓蓋１２が開いた状態で維持される。さらに、操作釦２、または操作釦３を押すと、スラストロック機構８の作動、及び該スラストロック機構内のリターンスプリングの戻しの付勢により、栓蓋１２は閉の位置に戻され、図３に示す如く、受盤７２も元の位置に戻される。
【実施例３】
【００１８】  本発明の複数個所の操作釦による遠隔操作式レリースワイヤ接続部は、図６に示す如く、例えば、２個の操作釦２００、３００による遠隔操作されるレリースワイヤ接続部７００であると、その各操作側レリースワイヤ４００、５００にバネ９００が入れられ、即ち、該バネを各操作側インナーワイヤ４１１、５１１の端部４２１，５２１の受止め板４２２、５２２と、接続部ケース７１１との間に設け、それらバネ９００の押圧力の合計を作動側レリースワイヤ６００のリターンスプリング８００よりも弱いものとし、そのバネ９００の押圧力で接続部ケース７１１内の各操作側レリースワイヤ４００、５００の各操作側インナーワイヤ４１１，５１１の端部４２１，５２１の受止め板４２２、５２２が作動側レリースワイヤ６００の作動側インナーワイヤ６１１の端部６２１へ接続の受盤７２１に当接させられている。
そこで、操作釦２００、３００のいずれか１個所の操作釦による操作で、それに対応した操作側インナーワイヤ４１１、５１１の端部４２１，５２１が受盤７２１に当接された状態のままで受盤７２１を押圧し、操作釦２００、３００による操作が解除されると、作動側レリースワイヤ６００の作動側インナーワイヤ６１１の端部６２１に接続される受盤７２１は、リターンスプリング８００の弾発力で初期の元の位置に戻ることになると共に、バネ９００の押圧力で受盤７２１へ押圧されている各操作側インナーワイヤ４１１，５１１の端部４２１，５２１も初期の元の位置に追随して戻されることになる。
【符号の説明】
【００１９】１      作動部
１１    排水口
１２    栓蓋
２      操作釦
２０    操作釦
２００  操作釦
２１    浴槽壁頂面
３      操作釦
３０    操作釦
３００  操作釦
３１    浴室壁面
４      浴槽壁頂面操作側レリースワイヤ
４０    操作側レリースワイヤ
４００  操作側レリースワイヤ
４１    操作側インナーワイヤ
４１０  操作側インナーワイヤ
４１１  操作側インナーワイヤ
４２    端部
４２０  端部
４２１  端部
４２２  受止め板
４３    アウターチューブ
４３０  アウターチューブ
５      浴室壁面操作側レリースワイヤ
５０    操作側レリースワイヤ
５００  操作側レリースワイヤ
５１    操作側インナーワイヤ
５１０  操作側インナーワイヤ
５１１  操作側インナーワイヤ
５２    端部
５２０  端部
５２１  端部
５２２  受止め板
５３    アウターチューブ
５３０  アウターチューブ
６      作動側レリースワイヤ
６０    作動側レリースワイヤ
６００  作動側レリースワイヤ
６１    作動側インナーワイヤ
６１０  作動側インナーワイヤ
６１１  作動側インナーワイヤ
６２    端部
６２０  端部
６２１  端部
６３    アウターチューブ
６３０  アウターチューブ
７      レリースワイヤ接続部
７０    レリースワイヤ接続部
７００  レリースワイヤ接続部
７１    接続部ケース
７１０  接続部ケース
７１１  接続部ケース
７２    受盤
７２０  受盤
７２１  受盤
７３    接続金具
８      スラストロック機構
８０    リターンスプリング
８００  リターンスプリング
９００  バネ
【図１】
2013024017.tif 000003
【図２】
2013024017.tif 000004
【図３】
2013024017.tif 000005
【図４】
2013024017.tif 000006
【図５】
2013024017.tif 000007
【図６】
2013024017.tif 000008